(57)【要約】【課題】無線通信網の基地局の設置を希望するエリアを選択すると、地図上でビル毎の履歴情報を把握できる基地局設置情報管理システムを提供する。【解決手段】プロバイダにより提供され、地図情報と、ビルの住所、高さ、条件等が入力されるビル情報と、無線通信網の基地局としての条件等が入力される基地局情報とが登録されたデータベースを格納するサーバ群によるクラウド１を備える。そして、ユーザの通信端末２・３がネットワークを介してクラウド１のサーバに接続された状態で、ユーザが基地局の設置を希望するエリアを選択すると、サーバから通信端末２・３の表示部に、選択エリアの地図が表示されるとともに、その地図上のビル位置に履歴情報を含むステータスに応じたアイコンが表示される。【選択図】図１
2017130875.tif 000002
【特許請求の範囲】
【請求項１】
プロバイダにより提供され、地図情報と、ビルの住所、高さ、条件等が入力されるビル情報と、無線通信網の基地局としての条件等が入力される基地局情報とが登録されたデータベースを格納するサーバ群によるクラウドを備え、
ユーザの通信端末がネットワークを介して前記クラウドの前記サーバに接続された状態で、ユーザが基地局の設置を希望するエリアを選択すると、前記サーバから前記通信端末の表示部に、選択エリアの地図が表示されるとともに、その地図上のビル位置に履歴情報を含むステータスに応じたアイコンが表示されることを特徴とする基地局設置情報管理システム。
【請求項２】
前記アイコンは、エリア検討依頼、エリア検討可、不可、保留、オーナーＮＧ、構造ＮＧ、エリアＮＧに対応する文字とともに色分けされたティアアイコンであることを特徴とする請求項１に記載の基地局設置情報管理システム。
【請求項３】
前記アイコンをクリックすると、物件概要が吹き出しに表示されることを特徴とする請求項１または２に記載の基地局設置情報管理システム。
【請求項４】
前記吹き出しをクリックすると、物件詳細情報画面が表示されることを特徴とする請求項３に記載の基地局設置情報管理システム。
【請求項５】
前記物件詳細情報画面の物件写真をクリックすると、その物件写真が拡大表示されることを特徴とする請求項４に記載の基地局設置情報管理システム。
【請求項６】
前記物件詳細情報画面のアンテナ高を入力して可視図ボタンをクリックすると、その物件の屋上のアンテナ位置から見通せる三次元画像が表示されることを特徴とする請求項４または５に記載の基地局設置情報管理システム。
【請求項７】
前記可視図ボタンをさらにクリックすると、前記三次元画像の前記アンテナ位置からの可視領域が表示されることを特徴とする請求項６に記載の基地局設置情報管理システム。
【請求項８】
前記物件詳細情報画面の編集ボタンをクリックすると、編集画面が表示されることを特徴とする請求項４から７のいずれか一項に記載の基地局設置情報管理システム。
【請求項９】
前記編集画面で必要箇所を修正して送信ボタンをクリックすると、前記クラウドの前記サーバにおいて、前記データベース内の物件情報が変更されることを特徴とする請求項８に記載の基地局設置情報管理システム。
【請求項１０】
前記物件情報が変更されると、プロバイダ及び関係するユーザにフラグ変更通知メールが送信されることを特徴とする請求項９に記載の基地局設置情報管理システム。
【発明の詳細な説明】
【技術分野】
【０００１】
本発明は、無線通信網の基地局を設置する情報の管理システムに関する。
【背景技術】
【０００２】
特許文献１において、無線通信網の基地局をビルの屋上に設置する場合に、設置するビルを決めるまでに要する時間と労力を少なくする基地局設置場所探索システムが提案される。
この基地局設置場所探索システムは、データベースに、ビルの高さや位置等の条件とビル所有者の名称とその連絡アドレス等の項目から構成されたビル情報データを多数登録すると共に、通信事業者が無線通信網の基地局を設置したい場所の高さや位置等の条件と通信事業者の名称とその連絡アドレス等の項目から構成された基地局情報データを多数登録したものである。
そのデータベースを基地局設置場所の条件に基づいて検索することにより、基地局設置場所の条件に合うビルを検索できる。
【先行技術文献】
【特許文献】
【０００３】
【特許文献１】特開２００２−１４１８５５号公報
【発明の概要】
【発明が解決しようとする課題】
【０００４】
しかし、特許文献１の基地局設置場所探索システムでは、選択したビルのビル情報データ、及びそのビルの条件に基づいて検索される基地局情報データともに表により表示されるだけであり、ビル毎の履歴情報を把握するのは不可能であった。
【０００５】
本発明の課題は、無線通信網の基地局の設置を希望するエリアを選択すると、地図上でビル毎の履歴情報を把握できる基地局設置情報管理システムを提供することである。
【課題を解決するための手段】
【０００６】
以上の課題を解決するため、請求項１に記載の発明は、
プロバイダにより提供され、地図情報と、ビルの住所、高さ、条件等が入力されるビル情報と、無線通信網の基地局としての条件等が入力される基地局情報とが登録されたデータベースを格納するサーバ群によるクラウドを備え、
ユーザの通信端末がネットワークを介して前記クラウドの前記サーバに接続された状態で、ユーザが基地局の設置を希望するエリアを選択すると、前記サーバから前記通信端末の表示部に、選択エリアの地図が表示されるとともに、その地図上のビル位置に履歴情報を含むステータスに応じたアイコンが表示される、基地局設置情報管理システムを特徴とする。
【０００７】
請求項２に記載の発明は、
請求項１に記載の基地局設置情報管理システムであって、
前記アイコンは、エリア検討依頼、エリア検討可、不可、保留、オーナーＮＧ、構造ＮＧ、エリアＮＧに対応する文字とともに色分けされたティアアイコンであることを特徴とする。
【０００８】
請求項３に記載の発明は、
請求項１または２に記載の基地局設置情報管理システムであって、
前記アイコンをクリックすると、物件概要が吹き出しに表示されることを特徴とする。
【０００９】
請求項４に記載の発明は、
請求項３に記載の基地局設置情報管理システムであって、
前記吹き出しをクリックすると、物件詳細情報画面が表示されることを特徴とする。
【００１０】
請求項５に記載の発明は、
請求項４に記載の基地局設置情報管理システムであって、
前記物件詳細情報画面の物件写真をクリックすると、その物件写真が拡大表示されることを特徴とする。
【００１１】
請求項６に記載の発明は、
請求項４または５に記載の基地局設置情報管理システムであって、
前記物件詳細情報画面のアンテナ高を入力して可視図ボタンをクリックすると、その物件の屋上のアンテナ位置から見通せる三次元画像が表示されることを特徴とする。
【００１２】
請求項７に記載の発明は、
請求項６に記載の基地局設置情報管理システムであって、
前記可視図ボタンをさらにクリックすると、前記三次元画像の前記アンテナ位置からの可視領域が表示されることを特徴とする。
【００１３】
請求項８に記載の発明は、
請求項４から７のいずれか一項に記載の基地局設置情報管理システムであって、
前記物件詳細情報画面の編集ボタンをクリックすると、編集画面が表示されることを特徴とする。
【００１４】
請求項９に記載の発明は、
請求項８に記載の基地局設置情報管理システムであって、
前記編集画面で必要箇所を修正して送信ボタンをクリックすると、前記クラウドの前記サーバにおいて、前記データベース内の物件情報が変更されることを特徴とする。
【００１５】
請求項１０に記載の発明は、
請求項９に記載の基地局設置情報管理システムであって、
前記物件情報が変更されると、プロバイダ及び関係するユーザにフラグ変更通知メールが送信されることを特徴とする。
【発明の効果】
【００１６】
本発明によれば、無線通信網の基地局の設置を希望するエリアを選択すると、地図上でビル毎の履歴情報を把握できる基地局設置情報管理システムを提供することができる。
【図面の簡単な説明】
【００１７】
【図１】本発明を適用した基地局設置情報管理システムの一実施形態の構成を示す概略図である。
【図２】通信端末の初期画面を示す図である。
【図３】図２の画面の「探索枠アップロード」ボタンをクリックして探索枠データ作成の入力内容画面例を示す図である。
【図４】探索枠の表示画面例を示す図である。
【図５】図４の画面の探索枠の線の上をクリックして探索枠情報の吹き出しによる表示例を示す図である。
【図６】図５の画面の「新規物件登録」ボタンをクリックして別タブに表示される新規物件情報の入力画面例を示す図である。
【図７】図６の画面の「送信」ボタンをクリックして登録されたデータ画面例を示す図である。
【図８】図７の画面の「図面・写真アップロード」ボタンをクリックして物件のアップロード画面の表示例を示す図である。
【図９】図４の画面のティアアイコン表示の種類（ａ）〜（ｇ）を示す図である。
【図１０】図４の画面の物件のティアアイコンをクリックして物件概要の吹き出しによる表示例を示す図である。
【図１１】図１０の画面の吹き出しをクリックして別タブに表示される物件の詳細情報画面例を示す図である。
【図１２】図１１の画面の写真をクリックして拡大表示例を示す図である。
【図１３】図１１の画面の「編集」ボタンをクリックして編集画面例を示す図である。
【図１４】図１３の画面の「送信」ボタンをクリックしてフラグ変更通知メールの送信例を示す図である。
【図１５】物件管理画面の「可視図」ボタンを示す図である。
【図１６】図１５の画面のアンテナ高を入力して「可視図」ボタンをクリックして表示される三次元画像の表示例を示す図である。
【図１７】図１６の画面のアンテナ位置からの可視領域の表示例を示す図である。
【発明を実施するための形態】
【００１８】
以下、図を参照して本発明を実施するための形態を詳細に説明する。
（実施形態）
図１は本発明を適用した基地局設置情報管理システムの一実施形態の概略構成を示すもので、プロバイダにより提供され、地図情報と、ビルの住所、高さ、条件等が入力されるビル情報と、無線通信網の基地局としての条件等が入力される基地局情報とが登録されたデータベースを格納する図示しないサーバ群によるクラウド１が備えられている。
そして、ユーザの通信端末２・３がネットワークを介してクラウド１のサーバに接続された状態で、ユーザが基地局の設置を希望するエリアを選択すると、サーバから通信端末２・３の表示部に、選択エリアの地図が表示されるとともに、その地図上のビル位置に履歴情報を含むステータスに応じたアイコンが表示される。
【００１９】
すなわち、ユーザは通信端末２・３を用いてリアルタイムで基地局設置を希望する現場の情報を閲覧できて即時判断が可能であり、現場から図面や写真など最新情報をアップロードすることができる。
このように、クラウド１とリアルタイムにデータをやり取りすることで、基地局設置を従来よりもスピーディーに行うことができる。
【００２０】
具体的には、ユーザの通信端末２・３からクラウド１のＵＲＬにアクセスし、ポップアップされる図示しないログインウィンドウにユーザ名とパスワードを入力してログインすることで、初期画面に遷移する。
【００２１】
図２は通信端末の初期画面を示すもので、図示のように、画面に日本地図が表示されて、その左側にメニューされる。
【００２２】
先ず、最初に探索枠データのアップロードを行う。
【００２３】
図３は図２の画面の「探索枠アップロード」ボタンをクリックして探索枠データ作成の入力内容画面例を示すもので、図２の画面の「探索枠アップロード」ボタンをクリックして、図示のように、所定事項を入力して探索枠データを作成しておく。
【００２４】
そして、探索枠データをアップロードメニューからアップロードする。
すなわち、図２の画面の「ファイル選択」ボタンをクリックして、アップロードするファイルを選択し、「探索枠アップロード」ボタンをクリックする。
アップロードが完了すると、図示しないが、「探索枠データのアップロードが完了しました。」のメッセージとファイル名及び基地局ＩＤ数が表示される。
【００２５】
次に、図２の画面の検索メニューから基地局ＩＤを入力し、探索枠を検索する。
【００２６】
図４は探索枠の表示画面例を示すもので、検索がヒットすると、図示のように、アップロードで設定した中心座標を地図の中心として探索枠が地図上に表示される。
【００２７】
図５は図４の画面の探索枠の線の上をクリックして探索枠情報の吹き出しによる表示例を示すもので、図４の画面の探索枠の線の上をクリックすると、図示のように、探索枠の情報が吹き出しで表示される。
【００２８】
また、メニューから新規物件の登録を行う。
【００２９】
図６は図５の画面の「新規物件登録」ボタンをクリックして別タブに表示される新規物件情報の入力画面例を示すもので、図５の画面の「新規物件登録」ボタンをクリックし、地図上の登録したい物件をクリックする。なお、通信端末２・３では、マウスポインターが白いアイコンに変わる。
そして、物件をクリックすると、図示のように、物件情報の入力画面が別タブに表示される。
【００３０】
その入力画面にデータを入力して「送信」ボタンをクリックする。
なお、入力内容をクリアする場合は、「クリア」ボタンをクリックする。
そして、「送信」ボタンをクリックする。
【００３１】
図７は図６の画面の「送信」ボタンをクリックして登録されたデータ画面例を示すもので、図６の画面の「送信」ボタンをクリックすると、図示のように、登録されたデータが表示される。
【００３２】
図８は図７の画面の「図面・写真アップロード」ボタンをクリックして物件のアップロード画面の表示例を示すもので、図７の画面の「図面・写真アップロード」ボタンをクリックすると、図示のように、物件のアップロード画面が表示される。
【００３３】
なお、写真のアップロードは、アップロードする写真の種類を選択し、ファイルを選択して「アップロード」ボタンをクリックする。
また、図面のアップロードは、アップロードする図面の種類を選択し、ファイルを選択して「アップロード」ボタンをクリックする。
【００３４】
ここで、前述したように、基地局ＩＤで探索枠の検索を行うと、図４に示したように、その基地局ＩＤに関連した物件が地図表示される。
そして、物件は、ステータスに応じて色分けされたティアアイコンで表示される。
【００３５】
図９は図４の画面のティアアイコン表示の種類（ａ）〜（ｇ）を示すもので、図９（ａ）の中に「依」が描かれた白色ティアアイコンはエリケン（エリア検討）依頼を示し、図９（ｂ）の中に「可」が描かれた緑色ティアアイコンはエリケン可を示し、図９（ｃ）の中に「不」が描かれた赤色ティアアイコンは不可を示し、図９（ｄ）の中に「保」が描かれた黄色ティアアイコンは保留を示している。
なお、エリケン（エリア検討）とは、詳しくは、「該当する物件が、基地局となりうるか否かを（通信事業者にて）電波シミュレーション等を実施した上で可不可の判断及びパラメータ設計（アンテナの向きなど）すること」である。
また、図９（ｅ）の中に「オ」が描かれた赤色ティアアイコンはオーナーＮＧを示し、図９（ｆ）の中に「構」が描かれた赤色ティアアイコンは構造ＮＧを示し、図９（ｇ）の中に「エ」が描かれた赤色ティアアイコンはエリアＮＧを示している。
【００３６】
このように、地図上で置局の進捗状況や折衝状況が一目でわかるので、判断も的確且つスムーズに行える。
従って、折衝履歴蓄積による置局効率向上が図れ、隣接計画の最新進捗を地図閲覧することで、置局管理しやすくなり、ポイント被り・物件被りが無くなる。
【００３７】
そして、ティアアイコンをクリックすると、折衝履歴や設計情報などが入力できる物件情報画面になる。
【００３８】
次に、図１０は図４の画面の物件のティアアイコンをクリックして物件概要の吹き出しによる表示例を示す図である。
すなわち、図４の画面の地図上の物件のティアアイコンをクリックすると、図示のように、その物件概要が吹き出しに表示される。
【００３９】
図１１は図１０の画面の吹き出しをクリックして別タブに表示される物件の詳細情報画面例を示すもので、図１０の画面の吹き出しをクリックすると、図示のように、物件の詳細情報画面が別タブに表示される。
【００４０】
図１２は図１１の画面の写真をクリックして拡大表示例を示すもので、図１１の詳細情報画面の写真をクリックすると、図示のように、写真が拡大表示される。
【００４１】
次に、物件の修正について説明する。
【００４２】
図１３は図１１の画面の「編集」ボタンをクリックして編集画面例を示すもので、図１１の物件詳細情報画面の「編集」ボタンをクリックすると、図示のように、編集画面が表示される。
そして、修正箇所を修正し、「送信」ボタンをクリックすると、物件情報が変更される。
【００４３】
図１４は図１３の画面の「送信」ボタンをクリックしてフラグ変更通知メールの送信例を示すもので、図１３の画面の「送信」ボタンをクリックすると、フラグ変更通知メールが送信される。
すなわち、進捗フラグまたは、ＮＧフラグが変更された時は、関係者にメールが送信される。
図示例では、件名と本文「物件ＩＤでＮＧステータスがエリアＮＧに変更されました」が送信される。
【００４４】
次に、図１１の物件詳細情報画面に可視図機能を追加した実施例について説明する。
【００４５】
図１５は物件管理画面の「可視図」ボタンを示すもので、図示のように、物件詳細情報画面に「可視図」ボタンが追加されている。
【００４６】
図１６は図１５の画面のアンテナ高を入力して「可視図」ボタンをクリックして表示される三次元画像の表示例を示すもので、図１５の画面のアンテナ高を入力して「可視図」ボタンをクリックすると、図示のように、自動的にアンテナから見通せる三次元画像が表示される。
【００４７】
図１７は図１６の画面のアンテナ位置からの可視領域の表示例を示すもので、図１６のアンテナ位置からの可視領域画面をクリックすると、図示のように、物件上のアンテナが表示されると同時に、アンテナ位置からの可視領域が緑色で表示される。
【００４８】
このように、可視図機能を追加して、アンテナ設置予定位置からの三次元可視エリアを表示することで、当該物件でエリアカバーできるかどうかの判断やしやすい。
【００４９】
以上、実施形態の基地局設置情報管理システムによれば、ユーザの通信端末２・３がネットワークを介してクラウド１のサーバに接続された状態で、ユーザが基地局の設置を希望するエリアを選択すると、サーバから通信端末２・３の表示部に、選択エリアの地図が表示されるとともに、その地図上のビル位置に履歴情報を含むステータスに応じたアイコンが表示されるので、地図上でビル毎の履歴情報を把握することができる。
従って、地図上で置局の進捗状況や折衝状況が一目でわかり、判断も的確且つスムーズに行えて、折衝履歴蓄積による置局効率向上が図れ、隣接計画の最新進捗を地図閲覧することで、置局管理しやすくなり、ポイント被り・物件被りが無くなる。
【００５０】
（変形例）
以上の実施形態の他、具体的な細部手法等について適宜に変更可能であることは勿論である。
【符号の説明】
【００５１】
１  クラウド
２  通信端末
３  通信端末
【図１】
2017130875.tif 000003
【図２】
2017130875.tif 000004
【図３】
2017130875.tif 000005
【図４】
2017130875.tif 000006
【図５】
2017130875.tif 000007
【図６】
2017130875.tif 000008
【図７】
2017130875.tif 000009
【図８】
2017130875.tif 000010
【図９】
2017130875.tif 000011
【図１０】
2017130875.tif 000012
【図１１】
2017130875.tif 000013
【図１２】
2017130875.tif 000014
【図１３】
2017130875.tif 000015
【図１４】
2017130875.tif 000016
【図１５】
2017130875.tif 000017
【図１６】
2017130875.tif 000018
【図１７】
2017130875.tif 000019